(57)【要約】【課題】この発明は、物干し竿等に掛けて用いられる洗濯用物干しを、必要に応じて室内の鴨居などに掛けて壁面等の垂直面に接した状態で使用できるように変形できる洗濯用物干し具を得ることを課題とする。【解決手段】この発明の物干し具は、下方に被服保持具を備えた２つの枠体１ａ，１ｂを水平方向に並列させ、ヒンジ部材２によって下方にのみ回動可能に連結してフレームユニット１を構成し、前記フレームユニット１の上方には、複数の吊下条３を介して吊り下げ具４が取り付けられ、少なくとも一の枠体側において、前記吊下条３を介しての吊り下げ具４のフレームユニット１への取付を解除可能に構成する。【選択図】  図３
2009213699.tif 000002
【特許請求の範囲】
【請求項１】
下方に被服保持具を備えた２つの枠体を水平方向に並列させ、前記２つの枠体をヒンジ部材によって下方にのみ回動可能に連結してフレームユニットを構成し、
前記フレームユニットの上方には、複数の吊下条を介して吊り下げ具が取り付けられ、
少なくとも一方の枠体において、前記吊下条を介しての吊り下げ具のフレームユニットへの取付を解除可能とした、
物干し具。
【請求項２】
吊下条は、その一端又は両端には、吊り下げ具又はフレームユニットの何れか一方若しくは両方に着脱可能なフックを備えた、
請求項１記載の物干し具。
【発明の詳細な説明】
【技術分野】
【０００１】
この発明は、物干し竿等に掛けて用いるだけでなく、壁面等の垂直面に掛けても安定して使用することができる洗濯用物干し具に関するものである。
【背景技術】
【０００２】
従来より、壁面等に洗濯物を吊すことができる洗濯用物干し具として種々のものが提案されている。
例えば、実開昭６０−１６８４９８号公報に記載された発明は、洗濯物が壁に接触することによって洗濯物および壁面の双方が汚れるのを防ぐために、フレーム外側にコ字状の枠体を嵌装しておき、壁面に掛けるときにはこのコ字状枠体をスライドさせてフレームから突出させ、また、吊り下げ用具（ひも）をコ字状枠体側に大きく傾斜させた状態にして吊り下げ用金具の挟持して固定した上で、壁面等に掛けるものとしている。
【特許文献１】実開昭６０−１６８４９８号公報
【０００３】
この発明によれば、洗濯物と壁面との間には所定間隔の間隙が形成されるから、洗濯物と壁面とが接触することを可及的に防止でき、洗濯物と壁面との接触による相互の汚れを防止することができる。
しかしながら、この発明の物干し具は、壁面に掛ける際に、物干し具が壁面から大きく張り出すこととなる上、高さのないコ字状枠体の一面を壁面との当接面とし、加えて、吊り下げ用具（ひも）をコ字状枠体側に大きく傾斜させた状態にして壁面に掛けるものとしていることから、極めて不安定である。また、構造が複雑であるばかりでなく、壁掛けの際の作業（コ字状枠体の引出し及び吊り下げ用具（ひも）の位置調整等）が繁雑である。
【０００４】
また、特開２０００−３２５６９８号公報に記載された発明は、支持部材の一端に保持骨部材を回動可能に取り付け、壁に掛けて使用する際には、この保持骨部材を回動させて垂直状態とし、この保持骨部材の垂直面を壁面に当接させるとともに保持フックを壁面の適当な位置に掛けて、壁面への取付を可能とするものである。
【特許文献２】特開２０００−３２５６９８号公報
【０００５】
この発明によれば、垂直状態の保持骨部材が大きな面積をもって壁面に当接されて支持部材を保持しているので、壁面への取り付けに安定感を得ることができる。
しかしながら、壁面などの垂直面ではなく物干し竿等に掛けて使用する場合には、支持部材の中心付近に備えられ吊り下げフックを用いることとなるが、支持部材の一端側に保持骨部材が存在していることから、保持骨部材が存在する側の重量が重くなり、吊り下げフックを用いて物干し竿等に掛けて使用する際、保持骨部材側に傾斜してしまい、水平を保つことができない。
また、保持骨部材は壁掛け時以外には支持部材の上面に収納されて使用されることはなく、物干し竿等への吊り下げ使用時には何らの機能を果たさないばかりか、上記のようにハンガー全体の重量バランスを崩してしまうという問題がある。
加えて、構造が複雑であり、製造コストもかかるものである。
【発明の開示】
【発明が解決しようとする課題】
【０００６】
この発明は、物干し竿等に掛けて用いられる洗濯用物干しを、必要に応じて室内の鴨居などに掛けて壁面等の垂直面に接した状態で使用できるように変形できる洗濯用物干し具を得ることを課題とするものである。
【課題を解決するための手段】
【０００７】
この発明の物干し具は、下方に被服保持具を備えた２つの枠体を水平方向に並列させ、ヒンジ部材によって下方にのみ回動可能に連結してフレームユニットを構成し、前記フレームユニットの上方には、複数の吊下条を介して吊り下げ具が取り付けられ、少なくとも一の枠体側において、前記吊下条を介しての吊り下げ具のフレームユニットへの取付を解除可能に構成する。
【０００８】
フレームユニットは、２つの枠体を水平方向に並列させ、下方にのみ回動可能に連結して構成する。前記枠体の形状、材質は公知のものを適宜採用することができる。
吊下条は、吊り下げ具をフレームユニットに取り付けるためのものであって、ワイヤーやロープ、鎖などを用いることができ、その一端が吊り下げ具に、他端が前記フレームユニットに接続されている。
そして、吊下条を介した吊り下げ具のフレームユニットへの取付を解除するためには、少なくとも前記フレームユニットの一方の枠体側において、吊下条と吊り下げ具との接続、あるいは、吊下条とフレームユニットとの接続の何れか一方の接続を解除できるようにすればよいが、両方の接続を解除できるようにしてもよい。
前記接続を解除するためには、吊下条の一端又は両端にフックを取り付け、このフックを吊り下げ具又はフレームユニットの何れか一方又は両方に着脱可能とするのが好ましいが（請求項２）、吊下条を２本に分断し、各吊下条の端部をそれぞれ吊り下げ具又はフレームに固定し、両吊下条の自由端同士を着脱自在に連結する構成を採ることもできる。
【０００９】
吊り下げ具は、物干し具を物干し竿等に掛けるためのフックやクリップなどであって、その一部に吊下条が接続される接続部を備えたものだけでなく、吊下条接続用の座金などの部材が取り付けられたものを含むものとする。
被服保持具は、洗濯物を保持するための公知の洗濯挟みやクリップなどを採用することができる。
【００１０】
ヒンジ部材は、２つの枠体を水平方向に並列させた状態で連結したときに完全に開いた状態にあり、フレームユニットの下方側（被服保持具が取り付けられている側）にのみ回動可能なものであればよいが、一の枠体を垂直状態まで回動させた時に垂直状態を保持するためのストッパーを備えたものとするのが好ましい。
【発明の効果】
【００１１】
この発明によれば、下方に被服保持具を備えた２つの枠体を水平方向に並列させ、ヒンジ部材によって水平軸よりも下方にのみ回動可能に連結してフレームユニットを構成しているので、全ての吊下条を吊り下げ具に連結したときは、フレームユニットは展開された状態となり、フレームユニット下方に全面的に被服保持具が配設された一般的な物干し具として利用することができる。
そして、フレームユニットの上方において、複数の吊下条を介して吊り下げ具が取り付けられ、少なくともフレームユニットの一の枠体側において、吊り下げ具のフレームユニットへの吊下条を介しての取付を解除可能としてあるので、壁面などの垂直面に接した状態で掛けて使用する場合（壁掛け使用時）には、吊り下げ具とフレームユニットの一方の枠体との吊下条による接続を解除し、一方の枠体を下方に回動させて垂直状態にすることができるので、一の枠体の張り出しをなくすことができるとともに、この一の枠体の上面を壁面などの垂直面と当接させることができるので、安定した状態で物干し具を壁面に掛けることができる。
このとき、もう一方の枠体は複数の吊下条によって吊り下げ具と依然として接続されているから、他方の枠体と吊り下げ具との吊下条による接続が解除されていても水平状態を維持でき、壁面等に掛けて使用することができる。
【００１２】
さらに、吊下条の一端又は両端には、吊り下げ具又はフレームユニットの何れか一方若しくは両方に着脱可能なフックを備えるものとすれば、このフックの着脱によって、フレームユニットと吊り下げ具との吊下条による連結を容易に解除することができ、また、これを再連結することができる。
【００１３】
また、ヒンジ部材に、フレームユニットの一の枠体を垂直状態まで回動させた時に、前記垂直状態を保持するためのストッパーを備えれば、一の枠体の垂直状態を容易に保持することができ、壁面等に掛けて使用する際の上下方向における安定感を増すことができる。
【００１４】
以上の構成により、通常時は物干し竿等に掛けて用いられる洗濯用物干しを、必要に応じて一の枠体側における吊下条の連結を解除してフレームユニットの一方の枠体を回動させて壁掛け使用可能な形に容易に変形することができ、安定した状態で壁面等の垂直面に沿った場所に掛けて使用することができる。
【発明を実施するための最良の形態】
【００１５】
図１はこの発明の実施例の側面図である。
それぞれ下方に洗濯挟み５が複数配設された枠体１ａ，１ｂが、ヒンジ部材２を介して水平方向に並列して連結され、フレームユニット１が構成されている。フレームユニット１はこの連結面によって折り曲げることができるものであれば、種々の形状に構成することも可能であるが、この実施例においては平面視略二重の環状に構成され、その中心線でそれぞれ枠体１ａ，１ｂとに分割されている（図２）。すなわち、枠体１ａ,１ｂはそれぞれ平面視半円形の外枠部分と内枠部分とをヒンジ部材２を取り付ける連結部で連結した態様となっている。
【００１６】
ヒンジ部材２は、枠体１ａ，１ｂが水平方向に並列して連結された状態が最大限に開いた状態であって、下方側においてのみ回動させることができ、これを最大限に回動させたときには一方の枠体１ａを他方の枠体１ｂに重ね合わせるように折り畳むことができるように構成してある。
【００１７】
また、このヒンジ部材２には、一方の枠体１を下方に９０°回動させて垂直状態としたときに、この垂直状態を一時的に保持するためのストッパー２６が形成されている（図４）。
ヒンジ部の詳細は以下の通りである。
図４ないし図６はヒンジ部材部分の拡大図であり、図４は側面図、図５は枠体を開いた状態の正面図、図６は枠体を９０°回動させた状態の正面図である。
ヒンジ部材２は第１のヒンジ片２１と第２のヒンジ片２２とが軸２３によって回動可能に連結されており、第１のヒンジ片２１の軸受け部２４の第２のヒンジ片側には、軸孔を中心として０時の位置にストッパーとしての凸部２６ａが、また、第２のヒンジ片２２の軸受け部２５の第１のヒンジ片側には、軸孔を中心として０時、３時、６時の位置にそれぞれ凸部２６ａが嵌合可能な凹部２６ｂ、２６ｃ、２６ｄがそれぞれ形成されている。そして、ヒンジ部材２の回動に伴い、凸部２６ａは、ヒンジ部材２を最大限に開いた状態において２６ｂと、９０°に開いた状態において２６ｃと、１８０°に開いた状態において２６ｄとそれぞれ嵌合される。したがって、このヒンジ部材２を用いて枠体１ａ，１ｂを連結した場合には、この物干し具の使用状況（物干し竿に掛けて使用する場合（完全に開いた状態）、壁に掛けて使用する場合（９０°回動させた状態）、折り畳んで収納する場合（１８０°回動させた状態））に応じて一時的にその位置を保持することが可能となる。
【００１８】
フレームユニット１の上方には、複数の吊下条３を介して吊り下げ具４が取り付けられている。
枠体１ａの外枠部分に３本の吊下条３ａの一端が等間隔で取り付けられ、他端が座金４２に取り付けられている。座金４２はフック４１に回動可能に取り付けられており、フック４１と座金４２とで吊り下げ具４が構成されている。ここで、座金４２はフック４１に回動可能に取り付けられているので、フック４１の軸を中心として水平方向において自在に回転することが可能である。
他方、枠体１ｂの外枠部分には２本の吊下条３ｂの一端が等間隔で取り付けられ、内枠部分の中央部には１本の吊下条３ｃの一端が取り付けられ、これら３本の吊下条の他端は一つに束ねられて着脱フック３１が取り付けられ、この着脱フック３１が、座金４２に形成された孔４２ａに着脱可能に取り付けられている（図７）。この実施例においては吊り下げ具と吊下条との接続に着脱フックを用いるものとしたが、着脱可能なものであればこれに限られるものではなく、例えば、吊下条にコネクターを、吊り下げ具にコネクター受け部を設けて、着脱可能なコネクター接続としてもよい。
吊下条３ａないし３ｃは、それぞれが展張された状態で吊り下げ具４がフレームユニット１の中心点上に位置し、かつ、フレームユニット１が水平状態となるように長さが調整されている。
枠体１ｂ側の吊下条は１本でも構わないが、水平状態においてバランスを得るにはこの実施例のように２本以上用いるのが好ましい。
また、この実施例において、着脱フック３１は吊下条３ｂ，３ｃの吊り下げ具側先端に設ける構成としたが、枠体１ｂに着脱孔を設けて、吊下条３ｂ，３ｃの枠体側先端に着脱フックを設ける構成としてもよい。
【００１９】
次に、この実施例の使用方法を説明する。
この発明の物干し具を、物干し竿等に掛けて使用する場合には、フレームユニット１を完全に開いた状態（展開状態）にしたうえで、吊下条３ｂ，３ｃに取り付けられた着脱フック３１を座金４２の孔４２ａに係止させて吊り下げ具４に枠体１ｂを連結する。吊下条３ａないし３ｃは、吊り下げ具４から吊り下げられた状態でフレームユニット１が水平状態を維持できるように長さが調整されており、また、ヒンジ部材２はフレームユニット１の上方側に回動することはないので、吊り下げ具４によってフレームユニットを吊り下げた状態において、フレームユニット１は水平状態に維持される。
したがって、物干し竿等に掛けて使用する際には、フレームユニット１の下方に備えた洗濯挟みを全て使用して洗濯物を干すことができる。
【００２０】
この発明の物干し具を壁面等の垂直面に接した場所に掛けて使用する場面として、例えば、屋外の物干し竿に掛けて洗濯物を乾かした後、物干し具ごと部屋に取り込んで鴨居などに掛けておいたり、あるいは、雨天時などで屋外に干すことができず物干し具を室内の壁面に掛けざるを得ないような場合等がある。
壁面等に掛けて使用する場合には、座金４２に係止されている着脱フック３１を孔４２ａから取り外して、フレームユニット１の枠体１ｂと吊り下げ具４との連結を解除する。連結を解除すると、枠体１ｂは自重で下方に９０度回動して垂直状態となる。
そこで、この垂直面を壁面に当接させるようにして、吊り下げ具４を壁面上の鴨居やフック等に掛けて使用する。
壁掛け使用時におけるフレームユニット１の張り出しは枠体１ａ分しかなく、加えて、ヒンジ部材２のストッパー２６の作用により枠体１ｂの垂直状態を保持しつつ壁面と当接されるので、垂直状態の枠体１ｂが支えとなり、安定した状態で壁面に掛けて使用することができる。
また、この発明の物干し具を収納する場合、枠体１ｂをさらに枠体１ａ側に回動させれば、完全にフレームユニット１を折り曲げた状態にすることができ、収納、運搬等に便利である。このとき、ヒンジ部材２のストッパー２６の作用により枠体１ｂの折り畳み状態を保持することができる。
【産業上の利用可能性】
【００２１】
この発明は、物干し竿等に掛けて用いるだけでなく、壁面等の垂直面に掛けても安定して使用することができる洗濯用物干し具に関するものであり、産業上の利用可能性を有するものである。
【図面の簡単な説明】
【００２２】
【図１】この発明の実施例の側面図
【図２】同じく平面図
【図３】同じく一方の枠体を回動させた状態を示す斜視図
【図４】この発明実施例のヒンジ部材の側面図
【図５】同じく枠体を開いた状態のヒンジ部材の正面図
【図６】同じく枠体を９０°回動させた状態のヒンジ部材の正面図
【図７】同じく吊下条と吊り下げ具との接続部を示す部分拡大図
【符号の説明】
【００２３】
１  フレームユニット
１ａ，１ｂ  枠体
２  ヒンジ部材
２１  第１のヒンジ片
２２  第２のヒンジ片
２３  軸
２４  第１のヒンジ片の軸受け部
２５  第２のヒンジ片の軸受け部
２６ａ  凸部
２６ｂ，２６ｃ，２６ｄ  凹部
３，３ａ，３ｂ，３ｃ  吊下条
３１  着脱フック
４  吊り下げ具
４１  フック
４２  座金
４２ａ  孔
５  洗濯ばさみ
【図１】
2009213699.tif 000003
【図２】
2009213699.tif 000004
【図３】
2009213699.tif 000005
【図４】
2009213699.tif 000006
【図５】
2009213699.tif 000007
【図６】
2009213699.tif 000008
【図７】
2009213699.tif 000009